(57)【要約】【課題】ティッシュボックスに対し容易に装着でき、ティッシュペーパーを取り出すための引出口が形成された補助具を提供する。【解決手段】ティッシュボックス用の補助具１は、ティッシュペーパー３を取り出すための開口孔２４が上面部２１に形成されたティッシュボックス２に装着され、前記開口孔２４を覆う形状でティッシュボックス２の上面部２１に密着される本体部１０と、該本体部１０に設けられティッシュボックス２の開口孔２４と向かい合うように形成された引出口１１と、本体部１０の両端に設けられティッシュボックス２に取り外し自在に装着される固定部材１２とを備えた。【選択図】  図１
2004275508.tif 000002
【特許請求の範囲】
【請求項１】
ティッシュペーパーを取り出すための開口孔が上面部に形成されたティッシュボックスに装着され、前記開口孔を覆う形状でティッシュボックスの上面部に密着される本体部と、該本体部に設けられティッシュボックスの開口孔と向かい合うように形成された引出口と、本体部の両端に設けられティッシュボックスに取り外し自在に装着される固定部材とを備えたことを特徴とするティッシュボックス用の補助具。
【請求項２】
前記固定部材は本体部の両端に設けられた接着テープであり、ティッシュボックスに引き剥がし自在に装着されることを特徴とする請求項１に記載のティッシュボックス用の補助具。
【請求項３】
前記固定部材は本体部に設けられた紐であり、ティッシュボックスに取り外し自在に装着されることを特徴とする請求項１に記載のティッシュボックス用の補助具。
【請求項４】
前記引出口は凹凸状に形成されたことを特徴とする請求項１乃至３の何れかに記載のティッシュボックス用の補助具。
【請求項５】
前記引出口は溶断により切断されたことを特徴とする請求項１乃至４の何れかに記載のティッシュボックス用の補助具。
【発明の詳細な説明】
【０００１】
【発明の属する技術分野】
この発明は、ティッシュペーパーが収容されるティッシュボックスに装着され、ティッシュペーパーを数枚ずつ順に取り出すためのティッシュボックス用の補助具に関する。
【０００２】
【従来の技術】
従来から公知であるティッシュボックスは、厚紙からなり略箱型に形成されたボックス本体の内部に、所定寸法で所定枚数のティッシュペーパーが上下に積層された状態で収容されており、ボックス本体の上面部略中央には開口孔が形成され、この開口孔の内面には、ティッシュペーパーが外気の湿気等により変質することがなく、しかもほこり等がボックス本体内部に侵入することがないようにするために、透明で合成樹脂製のフィルムからなる補助具が貼り付けられている。この補助具にはティッシュペーパーの一部を指で摘んで数枚ずつ順に取り出すための、直線状の引出口が形成されており、この引出口から飛び出したティッシュペーパーの一部を指で摘んで、数枚ずつ取り出すことができるようにしている。そして指で摘んだティッシュペーパーをティッシュボックスから取り出すと、続いて次のティッシュペーパーの一部が連れ上がり、引出口から飛び出して、次の取り出しを容易に行なえるようにしているものである。
【０００３】
しかしながら、透明で合成樹脂製のフィルムからなる補助具は安価に製作可能であるが、厚みが薄く、ティッシュペーパーをティッシュボックスの内部から勢いよく取り出すと、引出口から簡単に裂けてしまう恐れがあった。また、通常はティッシュペーパーを使い尽くすとティッシュボックスは廃棄されてしまい、経済的でなかった。
【０００４】
さらに、ティッシュボックスのボックス本体は厚紙により形成されているのに対し、開口孔に貼り付けられる補助具は合成樹脂製のフィルムであるため、補助具は廃棄した後にそのまま焼却すると、有毒ガスが発生するという問題があり、環境破壊に繋がり好ましいものではなかった。従って、環境破壊を考慮してティッシュボックスを廃棄するには、厚紙により形成されたボックス本体から補助具のみを切り取り、分離させる必要があり、作業が面倒であるという問題があった。
【０００５】
また、ティッシュボックスに対し装着することのできる装飾用のカバーが公知であり、カバーには引出口が形成され、引出口からティッシュペーパーを取り出せるようにしているが、通常のカバーは装飾用であるため、ティッシュボックスの本体全体を覆い隠す必要があり、ティッシュボックスへの装着に手間のかかるものであり、作業性の悪いものであった。
【０００６】
【発明が解決しようとする課題】
本発明は、ティッシュボックスに対し容易に装着でき、ティッシュペーパーを取り出すための引出口が形成された補助具を提供することを課題とするものである。
【０００７】
【課題を解決するための手段】
本発明の請求項１によるティッシュボックス用の補助具は、ティッシュペーパーを取り出すための開口孔が上面部に形成されたティッシュボックスに装着され、前記開口孔を覆う形状でティッシュボックスの上面部に密着される本体部と、該本体部に設けられティッシュボックスの開口孔と向かい合うように形成された引出口と、本体部の両端に設けられティッシュボックスに取り外し自在に装着される固定部材とを備えたものである。
【０００８】
請求項２によるティッシュボックス用の補助具は請求項１に記載の発明において、前記固定部材は本体部の両端に設けられた接着テープであり、ティッシュボックスに引き剥がし自在に装着されるものである。
【０００９】
請求項３によるティッシュボックス用の補助具は請求項１に記載の発明において、前記固定部材は本体部に設けられた紐であり、ティッシュボックスに取り外し自在に装着されるものである。
【００１０】
請求項４によるティッシュボックス用の補助具は請求項１乃至３の何れかに記載の発明において、前記引出口は凹凸状に形成されたものである。
【００１１】
請求項５によるティッシュボックス用の補助具は請求項１乃至４の何れかに記載の発明において、前記引出口は溶断により切断されたものである。
【００１２】
【発明の実施の形態】
以下、本発明の実施の形態を図に基づいて詳細に説明する。
本発明の実施例は図１及び図２に示すように、ティッシュボックス用の補助具１は、ティッシュボックス２に取り外し自在に装着されるものである。ティッシュボックス２は厚紙からなるボックス本体２０の内部に、２００枚程のティッシュペーパー３が折り畳まれた状態で上下に重ね合わせて収容されるものであり、上面に形成された上面部２１と、該上面部２１の長辺側の２側縁から下方に垂下した一対の第１側面部２２，２２と、上面部２１の短辺側の２側縁から下方に垂下した一対の第２側面部２３，２３とを備えており、前記上面部２１の略中央に楕円形の開口孔２４が形成され、この開口孔２４からティッシュペーパー３の一部が飛び出すようになっている。
【００１３】
ティッシュボックス２に装着される補助具１は、ティッシュボックス２の上面部２１に密着される本体部１０と、該本体部１０の略中央に形成される引出口１１と、本体部１０の両端に設けられティッシュボックス２に取り外し自在に装着するための固定部材１２とを備えている。
【００１４】
前記補助具１の本体部１０は、例えばポリエチレン，ポリ塩化ビニール，その他の薄肉の合成樹脂フィルムから形成され、全体として前記ティッシュボックス２の上面部２１を各第２側面部２３，２３に向けて横断するように形成された長方形である。
【００１５】
図１に示すように、前記本体部１０の略中央には細長の引出口１１が長さ方向に沿って形成されており、該引出口１１は、前記ティッシュボックス２に折り畳まれた状態で収容されたティッシュペーパー３を取り出すために形成された開口孔２４と上下に向かい合う位置に形成され、この引出口１１からティッシュボックス２に収容されたティッシュペーパー３を、数枚ずつ順に取り出すことができるようにしている。
【００１６】
前記引出口１１は、例えば超音波加工装置により凹凸状に溶断することで、合成樹脂フィルムの互いに向かい合う端縁を凹凸状にして噛み合う弾性片１１ａ，１１ａが形成される。超音波加工装置により合成樹脂フィルムを溶断する技術に関しては、本出願人が先に出願した特公平３−４２３４４号公報により既に公知であり、超音波振動による熱溶融により、合成樹脂フィルムは溶断が行なわれるものであるが、他の切断方法である例えば切断と比較して端縁の厚みが増し、弾性片の弾性力が向上するものである。図３に示すように、引出口１１を超音波加工装置により凹凸状に溶断すると、補助具１の端縁が凝固して厚みが倍程に増して強度が向上するうえ、弾力性や柔軟性を備えるものである。従って、引出口１１はティッシュペーパー３が落下しないように弾力的に挟みつけることができるものであり、しかも、簡単に裂けてしまうことがない。
【００１７】
前記弾性片１１ａ，１１ａは、本実施例では引出口１１のうち略中央部のみに形成され、両端は直線状としている。なお、弾性片は引出口の一端から他端まで多数連続して形成してもよい。従って、ティッシュペーパー３は補助具１の引出口１１を通過する際に、この引出口１１の弾性片１１ａ，１１ａが弾力的に噛み合うことで、抵抗が増大して確実に保持される。また、ティッシュペーパー３の枚数が少なくなり、ボックス本体２０に収容されたティッシュペーパー３の最上面と引出口１１との上下の間隔が次第に広くなっても、ティッシュペーパー３には弾性片１１ａ，１１ａが弾力的に噛み合うため引出口１１で確実に保持され、ボックス本体２０の内部に容易に落下することがないようにされている。そして、引出口１１から上部に飛び出したティッシュペーパー３を摘んで、容易に取り出すことができるものである。なお、引出口に形成される弾性片は、ティッシュペーパーの上下への移動に対して抵抗を増大することのできる形状であれば、波状，鋸歯状，その他どのような形状でもよく、特に限定されるものではない。
【００１８】
図１に示すように、前記補助具１は本体部１０の両端に、補助具１をティッシュボックス２に取り外し自在に装着するための固定部材１２，１２を備えており、補助具１は本体部１０がティッシュボックス２の開口孔２４を覆うようにして、各固定部材１２，１２が両第２側面部２３，２３に取り外し自在に装着される。なお、固定部材は例えば、接着剤が塗布された接着テープ，紐，ピン，ベルト，バンド，吸盤，その他種々のものが適応できる。この場合、接着テープ１２の基材には例えば接着剤が塗布された接着剤層１３だけでなく、接着剤が塗布されていない非接着剤層１４が形成されており、ティッシュボックス２の表面との間に接着剤層１３だけでなく、接着剤が塗布されていない非接着剤層１４が密着すると、接着テープ１２はティッシュボックス２に接着した後の引き剥がしが容易となり、再度のティッシュボックス２に対する装着を容易に行なうことができるものである。なお、接着テープは接着力の強い接着剤が塗布された強接着剤層と、接着力の弱い接着剤が塗布された弱接着剤層とが形成されていても、ティッシュボックスに接着した後に、容易に引き剥がしたり、再度ティッシュボックスに装着することができる。
【００１９】
本発明の補助具１をティッシュボックス２に装着するには、補助具１の本体部１０をティッシュボックス２の上面部２１に密着させて、引出口１１とティッシュボックス２の開口孔２４を向かい合わせ、図２に示すように、両端の固定部材１２を両第２側面部２３，２３に接着して装着する。なお、ティッシュボックスは各製造メーカーによりそれぞれ寸法が異なる場合があるが、固定部材はティッシュボックスのどの位置にも接着させることができ、寸法に関係なく容易に装着させることができる。
【００２０】
補助具１が装着されたティッシュボックス２からティッシュペーパー３を取り出すには、本体部１０の引出口１１に保持されているティッシュペーパー３の上部を指で摘んで引き出せばよい。この時、ティッシュボックス２に収容されている次のティッシュペーパー３も続いて引き出されるが、このティッシュペーパー３は、引出口１１が凹凸状であり、図３に示すように、弾性片１１ａ，１１ａにより弾力的に保持されるので、引出口１１から簡単に落下することがない。
【００２１】
なお、前記実施例では補助具の本体部は合成樹脂フィルムにより形成されているが、本体部は合成繊維，天然繊維，不織布，その他弾性力を備えた布素材としてもよい。また、本実施例の補助具では、固定部材をティッシュボックスの両第２側面部に装着したが、固定部材は両第１側面部に装着するようにしてもよい。さらに、補助具が装着されるティッシュボックスは、開口孔にティッシュペーパーを取り出すための引出口が形成された補助具が予め貼り付けられたものでも、又は補助具は貼り付けられておらず、開口孔のみが形成されたものでもよい。
【００２２】
図４は別の実施例による補助具であり、前記実施例とは別の固定部材を備えている。この実施例の補助具１ａでは本体部１０ａの両端に、固定部材１２ａとして紐を備えており、紐１２ａは例えば弾性力を備えた帯状のゴム紐が好ましく、紐１２ａの両端を本体部１０ａの両端に結合させている。補助具１ａをティッシュボックス２に装着する場合は、本体部１０ａをボックス本体２０の上面部２１に密着させ、紐１２ａをボックス本体２０の底面に向かい合わせてボックス本体２０を覆い、補助具１ａは紐１２ａの弾性力により収縮し、ボックス本体２０に取り外し自在に装着されるものである。そして、補助具１ａをティッシュボックス２から取り外すには、紐１２ａ引き伸ばし、ボックス本体２０の底面からずらせばよい。なお、補助具の他の構成は前記実施例と同一であるので、詳細な説明を省略する。
【００２３】
また、前述した接着テープでは繰り返し使用すると次第に接着力が弱くなるが、補助具の固定部材として紐を使用すれば、何度使用しても確実にボックス本体へ装着させることができる。
【００２４】
本発明の補助具は、固定部材によりボックス本体に対し取り外し自在に装着できるので、誰にでも簡単にティッシュボックスに装着したり取り外すことができる。また、補助具の本体部はティッシュボックスの上面のみに密着するものであり、ティッシュカバーのようにティッシュボックスの全体を覆う必要がなく、容易に装着させることができる。
【００２５】
また、厚紙製のティッシュボックスと、合成樹脂製の補助具とは容易に分別できるので、廃棄する際の分別を容易に行なうことができる。
【００２６】
さらに、ティッシュボックスに装着されている補助具が破れても、本発明の補助具を装着すれば、良好に使用することができる。
【００２７】
【発明の効果】
本発明のティッシュボックス用の補助具によると、ティッシュボックスに装着されている補助具が破れていても、本発明の補助具を装着すれば、ティッシュペーパーをティッシュボックスから良好に取り出すことができる。また、補助具はティッシュボックスに対し取り外し自在に装着されるので、ティッシュボックスと補助具の材質が異なっていても容易に分別して廃棄することができる。
【００２８】
また補助具の固定部材は接着テープであると、ティッシュボックスに対し取り外し自在に装着できるので、誰にでも簡単にティッシュボックスに装着したり取り外すことができる。
【００２９】
さらに、補助具の固定部材が紐であると、ティッシュボックスに対し何度も繰り返して装着することができる。
【００３０】
そして、補助具の引出口は凹凸状に形成されていると、ティッシュペーパーは引出口で確実に保持され、ボックス本体の内部に容易に落下することがない。
【００３１】
また、補助具の引出口は溶断により切断されていると、端縁の厚みが増して強度が向上するため、簡単に裂けてしまうことがないうえ、弾力性や柔軟性を備え、ティッシュペーパーが落下しないように弾力的に挟みつけることができる。
【図面の簡単な説明】
【図１】本発明によるティッシュボックス用の補助具とティッシュボックスとの斜視図である。
【図２】本発明によるティッシュボックス用の補助具をティッシュボックスに装着した状態の斜視図である。
【図３】補助具の引出口の拡大説明図である。
【図４】別の実施例によるティッシュボックス用の補助具とティッシュボックスとの斜視図である。
【符号の説明】
１，１ａ            補助具
２                  ティッシュボックス
３                  ティッシュペーパー
１０，１０ａ        本体部
１１，１１ａ        引出口
１２，１２ａ        固定部材
２４                開口孔
【図１】
2004275508.tif 000003
【図２】
2004275508.tif 000004
【図３】
2004275508.tif 000005
【図４】
2004275508.tif 000006